(57)【特許請求の範囲】
【請求項１】
前枠部１ｂの裏面に、該前枠１ｂの下端部裏面に固定される下方のセット枠１０と、このセット枠１０の上方に配置されて開口部内に遊技盤１２を取出し可能に嵌め込み得る枠体１１とを形成した合成樹脂製のベース枠９が固定される一方、このベース枠９の裏面側に、賞品球払い出しユニット４５を取り付けた裏枠４０が回動可能に組付けられて前記遊技盤１２の後側に設置されたパチンコ機において、
前記ベース枠９の下端部に形成された前記セット枠１０の裏面中央付近に、前記賞品球払い出しユニット４５から払い出された賞品球を受け入れて下皿側へ送り出すと共に賞品球を貯留する球排出通路３２及び賞品球の落下衝撃を緩衝して下方へ転動する緩衝板２７を形成した賞品球誘導ケース２６が一体状に形成される一方、前記セット枠１０の裏面側で前記賞品球誘導ケース２６の側壁部２６ａに開口された孔２６ｆの隣接外側部に、裏面開口した格納室９１を有するスイッチ格納壁９２が形成されており、
前記賞品球誘導ケース２６の球排出通路３２内に突設された支持部３８に、賞品球が貯留されたときに揺動する満タン検出片３９が揺動可能に支持されて、前記緩衝板２７によって覆われた状態で設置され、該満タン検出片３９の伝動部３９ａを前記賞品球誘導ケース２６の孔２６ｆから側壁部２６ａの側外に延出し、  前記スイッチ格納壁９２の格納室９１内に、前記賞品球誘導ケース２６内での賞品球の貯留の有無を検出する満タン検出スイッチ４７が取り付けられ、該満タン検出スイッチ４７の触動片４７ａを前記満タン検出片３９の伝動部３９ａの揺動部位に臨ませ、前記球排出通路３２内の貯留賞品球により前記満タン検出片３９が揺動されたときに満タン検出スイッチ４７が満タン検出信号を発生するように設定され、
前記スイッチ格納壁９２の開口裏面側に前記満タン検出スイッチ４７とリード線９８Ａを介して電気的に接続される中継基板９５が、満タン検出スイッチ４７の背後を覆った状態で設置され、この中継基板９５が賞品球払い出し用の制御回路と、遊技盤面に設けられた表示装置を制御する制御回路とにコネクタ９６及びリード線を介して電気的に接続され、
前記スイッチ格納壁９２の開口裏面側に係離可能に係止された裏蓋９７が、前記中継基板９５を覆った状態で設置されたパチンコ機。
【発明の詳細な説明】
【０００１】
【産業上の利用分野】
この発明はパチンコ機に関し、とくに、遊技者に払い出される賞品球群が集合する賞品球集合部での賞品球の誘導状態や貯留状態を検出する検出機構の改良に関する。
【０００２】
【従来の技術】
従来の技術としては例えば特開平３ー２９５５７８号公報がある。
この公報には遊技盤収納フレーム部分とベース部分とが一体に成形されたフレームベースに賞品球排出系統を構成する各種部品がユニットされて取付けられたパチンコ遊技機が開示されている。
【０００３】
【発明が解決しようとする課題】
本願では、賞品球の過剰貯留を検出する満タン検出スイッチの満タン検出により得られる電気信号を円滑に分配すると共に、満タン検出スイッチの不正動作を防止することを課題とする。
【０００４】
【課題を解決するための手段】
請求項１のパチンコ機は、前枠部の裏面に、該前枠の下端部裏面に固定される下方のセット枠と、このセット枠の上方に配置されて開口部内に遊技盤を取出し可能に嵌め込み得る枠体とを形成した合成樹脂製のベース枠が固定される一方、このベース枠の裏面側に、賞品球払い出しユニットを取り付けた裏枠が回動可能に組付けられて前記遊技盤の後側に設置されている。
又、前記ベース枠の下端部に形成された前記セット枠の裏面中央付近に、前記賞品球払い出しユニットから払い出された賞品球を受け入れて下皿側へ送り出すと共に賞品球を貯留する球排出通路及び賞品球の落下衝撃を緩衝して下方へ転動する緩衝板を形成した賞品球誘導ケースが一体状に形成される一方、前記セット枠の裏面側で前記賞品球誘導ケースの側壁部に開口された孔の隣接外側部に、裏面開口した格納室を有するスイッチ格納壁が形成されている。
【０００５】
前記賞品球誘導ケースの球排出通路内に突設された支持部に、賞品球が貯留されたときに揺動する満タン検出片が揺動可能に支持されて、前記緩衝板によって覆われた状態で設置され、該満タン検出片の伝動部を前記賞品球誘導ケースの孔から側壁部の側外に延出し、前記スイッチ格納壁の格納室内に、前記賞品球誘導ケース内での賞品球の貯留の有無を検出する満タン検出スイッチが取り付けられ、該満タン検出スイッチの触動片を前記満タン検出片の伝動部の揺動部位に臨ませ、前記球排出通路内の貯留賞品球により前記満タン検出片が揺動されたときに満タン検出スイッチが満タン検出信号を発生するように設定されている。
即ち、賞品球が誘導および貯留される賞品球誘導ケースの満タンを検出する満タン検出スイッチと制御回路に接続する中継基板とが、それぞれ取出し可能に格納された格納室を設けた構成を有する。
【０００６】
前記スイッチ格納壁の開口裏面側に前記満タン検出スイッチとリード線を介して電気的に接続される中継基板が、満タン検出スイッチの背後を覆った状態で設置され、この中継基板が賞品球払い出し用の制御回路と、遊技盤面に設けられた表示装置を制御する制御回路とにコネクタ及びリード線を介して電気的に接続されている。
又、スイッチ格納壁の開口裏面側に係離可能に係止された裏蓋が、前記中継基板を覆った状態で設置されている。
【０００７】
【作用】
請求項１のパチンコ機は、前枠部の裏面に、下方のセット枠と遊技盤を取出し可能に嵌め込み得る上方の枠体とを形成した合成樹脂製のベース枠が固定される一方、このベース枠の裏面側に、賞品球払い出しユニットを取り付けた裏枠が回動可能に組付けられて遊技盤の後側に設置されているパチンコ機において、賞品球払い出しユニットから払い出された賞品球が、セット枠に一体に形成された賞品球誘導ケースの球排出通路内を通って下皿に送り出されると共に球排出通路内に貯留される。そして、この球排出通路内に揺動可能に支持された満タン検出片が、該球排出通路内の貯留賞品球により揺動されたときに、賞品球誘導ケースの隣接側外部に形成されたスイッチ格納壁の格納室内に格納された満タン検出スイッチが作動されて満タン検出信号を発生する。
そして、この満タン検出信号が、スイッチ格納壁内に設置された中継基板からコネクタ及びリード線を介して賞品球払い出し用の制御回路や遊技盤面に設けられた表示装置を制御する制御回路に分配伝送される。
一方、前記満タン検出スイッチは、中継基板によりその背面が覆われ、又、中継基板はスイッチ格納壁の開口裏面側に係離可能に係止された裏蓋により覆われて保護されている。
【００１０】
【発明の効果】
請求項１によれば、賞品球誘導ケースの貯留賞品球を検出する満タン検出スイッチが、電気部品や制御回路、即ち、賞品球払い出し用の制御回路や遊技盤面に設けられた入賞装置や表示装置を制御する制御回路等と電気的に接続される中継基板とともにパチンコ機に組込まれるので、賞品球の満タン検出信号を同一室内に満タン検出スイッチと一体となって格納された中継基板によって中継処理して、パチンコ機内の電気部品等、即ち、制御回路に円滑に分配伝送することができるとともに、裏蓋により満タン検出スイッチ及び中継基板を共に物理的および電気的な被害から防護することができる。
【００１１】
又、満タン検出スイッチが中継基板によって覆われ、スイッチ格納壁に囲まれた状態で設置されるので、この満タン検出スイッチを外力から効果的に防護して満タン検出スイッチの不正動作や誤動作を防止することができる。
【００１２】
また、中継基板をスイッチ格納壁から取外すと、満タン検出スイッチの背後が開放されるので、満タン検出スイッチの取付け作業や交換作業を簡易化することができる。さらに、リード線を接続する配線作業を中継基板によって円滑かつ的確に遂行することができる。
【００１６】
さらに、中継基板を裏蓋によって防護することができ、中継基板に他部材が接触して中継回路が故障する不具合を排除することができる。
【００１７】
【実施例】
次に、本発明の１実施例を図面にしたがって説明する。
パチンコ機の木枠１は定位置に立設される角筒状の後枠部１ａと、この後枠部１ａにヒンジによって前方への回動可能に結合されて後枠部１ａの前側に設置された方形枠状の前枠部１ｂとによって形成されている。
【００１８】
木枠１の前枠部１ｂの裏面には上部の第１部材と下部の第２部材とが分離可能に結合されて形成された合成樹脂製のベース枠９がビスによって固定されている。
【００１９】
ベース枠９にはその下端部に配設されて木枠１の前枠部１ｂの下端部裏面にビス止めされたセット板１０と、このセット板１０の上方に配設されて木枠１の前枠部１ｂの開口部とほぼ等しい形状の開口部が開口された枠体１１とが形成され、この枠体１１の開口部内には遊技盤１２が後方への取出し可能に嵌め込まれている。
【００２０】
枠体１１の下枠部には賞品球を上皿内へ導入する前賞品球口２０が開設されている。
【００２１】
ベース枠９のセット板１０の前面は遊技盤面１２ａにほぼ整合され、このセット板１０の前面には上皿内から送り出された遊技球を球発射起点となる基端部で受止めて発射球を遊技盤面１２ａへ案内する発射レール１５が先上り姿勢で固定され、また、セット板１０には発射レール１５上の遊技球を遊技盤面１２ａへ向けて発射させる発射機構が取付けられている。
【００２２】
セット板１０の前面の一端付近にはセット板１０に取付けられて効果音等を発するスピーカー１７が内部に収容された円筒状のスピーカー収容部２１が突設され、このスピーカー収容部２１の上面にはスピーカー１７上へ転落したこぼれ球を両側方の斜め下方へ誘導する球受け面２１ａが円弧面状に形成されている。
【００２３】
セット板１０の前側にはセット板１０に結合されてスピーカー１７の前面およびその両側方をカバーするスピーカーカバー樋１８が発射レール１５の側方に隣接して設置されている。
【００２４】
スピーカーカバー樋１８の内端付近には上面が発射レール１５側へ先下り状に傾斜したファール球誘導部１８ａが形成され、このファール球誘導部１８ａと発射レール１５の先端部との間には遊技盤面１２ａへ打出されて逆流したファール球が通り抜けるファール球通し口１９が形成されている。
【００２５】
セット板１０の前側には内方へ先下り状に傾斜した状態でスピーカー収納部２１の下方に設置されて球受け面２１ａに衝突して転落したこぼれ球を内方へ案内する第１こぼれ球誘導板２２と、内方へ先下り状に傾斜した状態で発射レール１５の下方に設置されて、こぼれ球を内方へ誘導する第２こぼれ球誘導板２３とが形成されている。
【００２６】
セット板１０の裏面にはその中央部付近に外方へ先下り状に傾斜した状態で設置されたアウト球誘導板２４と、このアウト球誘導板２４の外方に内方へ先下り状に傾斜した状態で間隙を隔てて設置された第３こぼれ球誘導板２５とが連接されている。アウト球誘導板２４上にアウト球通路５２が形成され、第３こぼれ球誘導板２５の先端部上には規制壁５３が立設されている。
【００２７】
セット板１０の中央部付近には左右１対の垂直な側壁部２６ａと、この両側壁部２６ａの後端縁に直交状に連接された後壁部２６ｂと、両側壁部２６ａおよび後壁部２６ｂの下端縁に連接されて前下り状に傾斜した底壁部２６ｃとを有し、上端に開口部２６ｄが開設された賞品球誘導ケース２６が一体状に形成されている。
【００２８】
賞品球誘導ケース２６は遊技者に払い出される賞品球およびファール球を上方から受入れて前下方の下皿内へ送り出す目的で設置され、この球誘導ケース２６内には賞品球およびファール球が通過する球排出通路３２が後上端から前下端にわたって形成されている。
【００２９】
賞品球誘導ケース２６の表面には後壁部２６ｂおよび底壁部２６ｃを補強する複数本の補強リブ２６ｅが後壁部２６ｂの後面と底壁部２６ｃの下面とにわたって並行状に突出形成されている。
【００３０】
賞品球誘導ケース２６の内壁面の上下部にはこの賞品球誘導ケース２６内へ落下したパチンコ球が衝突する落下点までの落差を縮小してパンコ球の落下衝撃を緩衝する目的で賞品球誘導ケース２６内に互に逆方向へ先下り状に傾斜した姿勢で設置された上下１対の緩衝板２７，２７が連接されている。
【００３１】
上側の緩衝板２７の前部はファール球の落下衝撃が緩衝されるように下側の緩衝板２７の前方へ延出されている。
【００３２】
賞品球誘導ケース２６内へ落下した賞品球は上側の緩衝板２７に衝突して上側の緩衝板２７を伝って転動してから、下側の緩衝板２７に衝突して下側の緩衝板２７を伝って転動し、さらに賞品球誘導ケース２６の底壁部２６ｃ上へ転落するか、若しくは下側の緩衝板２７に衝突してから底壁部２６ｃ上へ転落し、賞品球誘導ケース２６内へ落下した賞品球の落下衝撃が両緩衝板２７によって緩衝される。
【００３３】
賞品球誘導ケース２６の後壁部２６ｂの中央部付近および下端には下側の緩衝板２７の先端縁の上方および下方にそれぞれ配設されて球排出通路３２を通行するパチンコ球およびその通行状態を監視する３個１組の賞品球透視孔３１がそれぞれ開設されている。
【００３４】
従って、賞品球誘導ケース２６内の下部で球詰まりが発生したときにこの球詰まりを賞品球透視孔３１によって発見することができる。
【００３５】
賞品球誘導ケース２６内の上部には球誘導ケース２６の後壁部２６ｂに連接されて前方へ突出された支軸３８によって左右方向への揺動可能に支持されて賞品球誘導ケース２６内に賞品球が過剰に貯留されたときに揺動する満タン検出片３９が、上側の緩衝板２７によって覆われた状態で設置されている。
【００３６】
満タン検出片３９には、図２、図４、図６に示すように、賞品球誘導ケース２６の側壁部２６ａに開設された連通孔２６ｆに挿通されて側外に延出された伝動部３９ａが突出形成されている。
【００３７】
セット板１０の裏面には上端縁が第３こぼれ球誘導板２５の先端縁に連接されて垂立された縦壁板１３と、上端縁がこの縦壁板１３の下端縁に連接されて内端縁が賞品球誘導ケース２６に連接され、断面形状がＬ形状に曲折された樋板１４とが一体状に形成され、樋板１４の下片１４ａの上面には上面が後下り状に傾斜した複数個の突条１４ｂが並行状に凸設されている。
【００３８】
賞品球誘導ケース２６と縦壁板１３との間には左右１対の側壁部２９ａと、この両側壁部２９ａの後端縁に連接された後壁部２９ｂと、後壁部２９ｂの下端縁に連接されて前方へ若干突出された底壁部２９ｃとを有し、セット板１０に取外し可能に係止されて賞品球誘導ケース２６の側方で樋板１４上に設置された遊技球集合ケース２９が挟み込まれている。
【００３９】
遊技球集合ケース２９内にはセーフ球およびアウト球を集めてパチンコ機外へ誘導する遊技球排出通路３０が形成され、樋板１４と、遊技球集合ケース２９の下面と、球誘導ケース２６の側面との間には遊技球集合ケース２９の下方に形成されて遊技球集合ケース２９内へ落入したアウト球およびセーフ球を後方へ誘導してパチンコ機外へ排出する遊技球排出口３３が開設されている。
【００４０】
アウト球誘導片２４の先端部から転がり落ちたアウト球および第３こぼれ球誘導板２５の先端部から転がり落ちたこぼれ球は遊技球集合ケース２９内へ落入し、遊技球排出口３３を通り抜けてパチンコ機外へ排出される。
【００４１】
ベース枠９に回動および取外し可能に組付けられて遊技盤１２の後側に設置された裏枠４０の後面には賞品球の払い出しを制御する賞品球払い出しユニット４５と、賞品球誘導通路が内部に形成された裏カバー７０とが取付けられている。
【００４２】
入賞発生時に賞品球払い出しユニット４５から送り出された賞品球群は裏カバー７０内の賞品球誘導通路を通り抜けて賞品球誘導ケース２６内へ導入される。
【００４３】
セット板１０の後面にはスイッチ格納室９１が内部に形成された角筒状のスイッチ格納壁９２が賞品球誘導ケース２６に隣接して形成され、このスイッチ格納壁９２のスイッチ格納室９１内部には賞品球誘導ケース２６内での賞品球の過剰貯留の有無を検出する満タン検出スイッチ４７が設置されていてスイッチ格納壁９２によって包囲した状態で格納されている。そして、この満タン検出スイッチ４７の触動片４７ａが、図２、図４、図６に示すように、賞品球誘導ケース２６の側壁部２６ａの側外に延出された前記満タン検出片３９の伝動部３９ａ上へ延出されている。
【００４４】
スイッチ格納壁９２には前端縁がセット板１０の後面に連接されて内端縁が賞品球誘導ケース２６の後壁部２６ａに連接され、上下方向に離れて水平状に設置された上壁板９２ａおよび下壁板９２ｂと、上下端縁が上下壁板９２ａ，ｂの外端縁にそれぞれ連接されて垂直状に設置され前部に係合孔９２ｆが開設された外壁板９２ｃと、上下端縁が上下壁板９２ａ，ｂの内端縁に連接されて外壁面が賞品球誘導ケース２６に一体状に連接され、連通孔２６ｆの上下方に垂直状に設置された内壁板２６ｄとが形成されている。
【００４５】
スイッチ格納壁９２の上下壁板９２ａ，ｂの後端縁および外壁板９２ｃの後端縁にはその内壁面を切欠いて形成された段部９２ｅが内壁板９２ｄの後端面に整合された状態で形成されている。
【００４６】
セット板１０の後面でスイッチ格納壁９２の内部にはスイッチ格納壁９２の内部に配設されて満タン検出スイッチ４７が位置決めされてねじ９４によって取付けられた左右１対のスイッチ取付け片９３が一体状に凸設され、一方のスイッチ取付け片９３の中心部にはねじ９４がねじ込まれるねじ孔９３ａが凹設され、他方のスイッチ取付け片９３の後端面には満タン検出スイッチ３９の貫通孔内に挿入される位置決め用の突起９３ｂが凸設されている。
【００４７】
賞品球誘導ケース２６内に集合した賞品球が過剰に貯留されると、満タン検出片３９が賞品球によって押動されて満タン検出スイッチ４７側へ揺動し、満タン検出スイッチ４７の触動片４７が満タン検出片３９の伝動部３９ａによって押上げられて満タン検出スイッチ４７が満タン検出信号を発信する。
【００４８】
スイッチ格納壁９２の後端には各端縁がスイッチ格納壁９２の段部９２ｅおよび内壁板９２ｄの後端面にそれぞれ当接してスイッチ格納壁９２の後端縁内に嵌め込まれた状態で位置決めされてスイッチ格納壁９２によって拘持され、制御回路や電気部品の入出力信号を中継する方形板状の中継基板９５が満タン検出スイッチ４７をその背後から覆った状態で垂直状に設置されている。
【００４９】
中継基板９５の後面にはその中継回路と、制御回路や電気部品に接続されたリード線とを分離可能に接続する複数個のコネクタ９６が取付けられている。
【００５０】
満タン検出スイッチ４７はこの満タン検出スイッチ４７に接続されて中継基板９５の前面の配線パタ−ン面にはんだ付けされたリ−ド線９８によって中継基板９５に接続され、満タン検出スイッチ４７によって発信された検出信号は中継基板９５、コネクタ９６を介して外部へ出力される。
【００５１】
中継基板９５の後面には複数個の電気部品が取付けられ、中継基板９５は賞品球払い出し用の制御回路や遊技盤面に設けられた入賞装置、表示装置を制御する制御回路等の制御回路や各種電気部品と前記コネクタ９６及びリード線介して電気的に接続される。
【００５２】
スイッチ格納壁９２の後側にはスイッチ格納壁９２および賞品球誘導ケース２６に係離可能に係止され、中継基板９５の端縁をスイッチ格納壁９２の段部９２ｅとの間に挟み込んだ状態で中継基板９５を覆ってスイッチ格納壁９２に押止する裏蓋９７が設置されている。
【００５３】
裏蓋９７には中継基板９５の後方に垂立された後壁板９７ａと、この後壁板９７ａの上端縁に連接された上壁板９７ｂと、後壁板９７ａの下端縁に連接された下壁板９７ａの下端縁に連接された下壁板９７ｃと、後壁板９７ａの外端縁に連接された側壁板９７ｄと、この側壁板９７ｄの前端縁に連接されて前方へ突出され、スイッチ格納壁９２の係合孔９２ｄの後側孔縁に係離可能に係止された前係止片９７ｅと、後壁板９７ａの内端縁に連接されて側方へ突出され、賞品球誘導ケース２６の連通孔２６ｆの後側孔縁に係離可能に係止された後係止片９７ｆとが形成されている。
【００５４】
裏蓋９７の下端にはコネクタ９６のうちの離脱コネクタが挿通される開口部９７ｇが開設されている。
【００５５】
中継基板９５をスイッチ格納壁９２の後端縁内に嵌め込んだ状態で裏蓋９７の後係止片９７ｆを賞品球誘導ケース２６の連通孔２６ｆ内に挿入して裏蓋９７を前方へ押込むと、前係止片９７ｅがスイッチ格納壁９２の外壁板９２ｃに係止されて後係止片９７ｆが賞品球誘導ケース２６の側壁部２６ａに係止され、裏蓋９７がスイッチ格納壁９２および賞品球誘導ケース２６に結合される。
【００５６】
なお、裏蓋９７を透明な合成樹脂材によって成形すると、中継基板９５の電気部品の異常の有無を裏蓋９７を取付けたままの状態で確認することができる。
【００５７】
続いて、上記した構成を有する実施例の作用と効果を説明する。
本例では遊技盤１２がセットされるベース枠９の下部に形成されたセット板１０には遊技者に払い出される賞品球群を受入れて放出する賞品球誘導ケース２６と、この賞品球誘導ケース２６内での賞品球の過剰貯留の有無を検出する満タン検出スイッチ４７が格納されるスイッチ格納壁９２とを隣接して形成し、満タン検出スイッチ４７の背後には満タン検出スイッチ４７が接続されて制御回路や電気部品を電気的に接続する中継基板９５を、この中継基板９５がスイッチ格納壁９２によって拘持されて満タン検出スイッチ４７を覆った状態で設置し、スイッチ格納壁９２の内部には満タン検出スイッチ４７が位置決めされて取付けられるスイッチ取付け片９３を形成し、スイッチ格納壁９２および賞品球誘導ケース２６には中継基板９５の端縁をスイッチ格納壁９２との間に挟み込んだ状態で中継基板９５を覆いかつこの中継基板９５をスイッチ格納壁９２に押止する裏蓋９７を解離可能に係止してある。
【００５８】
このため、賞品球の流れの状態を検出する満タン検出スイッチ４７が、電気部品や制御回路、例えば賞品球払い出し用の制御回路、遊技盤面に設けられた入賞装置や表示装置を制御する制御回路等と電気的に接続される中継基板９５とともにパチンコ機に組込まれるので、賞品球の流れの状態に係わる信号を同一室内に満タン検出スイッチ４７と一体となって格納された中継基板９５によって中継処理してパチンコ機内の電気部品や制御回路に円滑に分配伝送することができるとともに、満タン検出スイッチ４７および中継基板９５を共に物理的および電気的な被害から防護することができる。
【００５９】
また、満タン検出スイッチ４７が中継基板９５によって覆われてスイッチ格納壁９２によって囲まれた状態で、満タン検出スイッチ４７がスイッチ格納壁９２内に装入されるので、満タン検出スイッチ４７を外部から隔離して設置することができ、満タン検出スイッチ４７をこの検出スイッチ４７に加えられる外力から効果的に防護して満タン検出スイッチ４７の不正動作や誤動作を防止することができる。
【００６０】
さらに、中継基板９５をスイッチ格納壁９２から取外すと、満タン検出スイッチ９５の背後が開放されるので、満タン検出スイッチ９５の取付け作業や交換作業を簡易化することができる。
【００６１】
また、裏蓋９７をスイッチ格納壁９２および賞品球誘導ケース２６に係止すると、中継基板９５の端縁をスイッチ格納壁９２と裏蓋９７との間に挟み込んだ状態で中継基板９５を常に適正位置にねじ等を使用せずに固定することができ、中継基板９５の取付け作業や交換作業を簡易化することができる。
【００６２】
また、満タン検出スイッチ４７を常に適正位置に取付けることができるので、賞品球の過剰貯留を的確に検出して満タン検出スイッチ４７の位置ずれによる検出ミスを無くすことができる。
【００６３】
さらに、中継基板９５を裏蓋９７によって防護することができ、中継基板９５に他部材が接触して中継回路が故障する不具合を排除することができる。
【００６４】
図７に示す他の実施例では満タン検出スイッチ４７に接続されたリ−ド線９８Ａはスイッチ格納室９１外へ引出されて他の回路基板に接続され、また、中継基板９５にはセット板１０に取付けられた電気部品がコネクタ９６を介して接続されている。
【００６５】
従って、この場合にはセット板１０に取付けられた電気部品を接続する配線作業を簡易化することができる。
【図面の簡単な説明】
【図１】本発明の１実施例を示すセット板付近の裏面図である。
【図２】ベース枠体の要部の正面図である。
【図３】スイッチ格納壁付近の分解斜視図である。
【図４】賞品球誘導ケース付近の横断面図である。
【図５】図４のＸ１−Ｘ１線断面図である。
【図６】図５のＸ２−Ｘ２線断面図である。
【図７】図４のＸ１−Ｘ１線断面図の別例である。
【符号の説明】
９  ベース枠体
１０  セット板
２６  賞品球誘導ケース
４７  満タン検出スイッチ
９１  スイッチ格納室
９２  スイッチ格納壁
９３  スイッチ取付け片
９５  中継基板
９７  裏蓋
【図１】
0003873141.tif 000002
【図２】
0003873141.tif 000003
【図３】
0003873141.tif 000004
【図４】
0003873141.tif 000005
【図５】
0003873141.tif 000006
【図６】
0003873141.tif 000007
【図７】
0003873141.tif 000008